(57)【要約】【課題】電極先端の初期形状のばらつき・経時変化等に起因する放電電流ムラが起きても、各放電点での電荷保持部材の帯電電荷が形成する電界により放電電流が制限され、低電流で利用しても帯電ムラが少なく、また、電荷保持部材の電位減衰時定数を短くでき、駆動電圧の上昇を抑える。【解決手段】コロナ放電電極２１０と、感光体ドラム１１０側に開口面を有しコロナ放電電極２１０を覆うように設けたケース２２０と、開口面に配置され、コロナ放電電極の放電点からの放電電流を制御するグリッド電極２３０とからなる帯電装置２００において、コロナ放電電極２１０の近傍に放電電流の一部で帯電電位を形成すると共に帯電電位の減衰時定数が所定数以下の電荷保持部材２４０を配置した。【選択図】図４
2010061083.tif 000002
【特許請求の範囲】
【請求項１】
コロナ放電電極と、
被帯電物側に開口面を有し、前記コロナ放電電極を覆うように設けたシールド部材と、
前記開口面に配置され、前記コロナ放電電極の放電点からの放電電流を制御するグリッド部材とからなる帯電装置において、
前記コロナ放電電極の近傍に前記放電電流の一部で帯電電位を形成すると共に、前記帯電電位の減衰時定数が所定数以下の電荷保持部材を配置したことを特徴とする帯電装置。
【請求項２】
前記電荷保持部材は前記コロナ放電電極から被帯電物へと流れる放電電流の一部を遮るよう配置されていることを特徴とする請求項１記載の帯電装置。
【請求項３】
前記電荷保持部材は導体と抵抗層とから形成されていることを特徴とする請求項１記載の帯電装置。
【請求項４】
前記抵抗層は前記導体の全面を覆うよう形成されていることを特徴とする請求項３記載の帯電装置。
【請求項５】
前記電荷保持部材の導体側面を絶縁体で覆うよう形成したことを特徴とする請求項３記載の帯電装置
【請求項６】
前記電荷保持部材をグリッド形状としたことを特徴とする請求項３記載の帯電装置
【請求項７】
請求項１乃至６のいずれか記載の帯電装置を備えることを特徴とするトナー像形成装置。
【請求項８】
請求項７記載のトナー像形成装置を備えることを特徴とする画像形成装置。
【発明の詳細な説明】
【技術分野】
【０００１】
本発明は帯電装置、トナー像形成装置及び画像形成装置に係り、特にコロナ放電電極と、被帯電物側に開口面を有し、前記コロナ放電電極を覆うように設けたシールド部材と、前記開口面に配置され、前記コロナ放電電極の放電点からの放電電流を制御するグリッド部材とを備える帯電装置、帯電装置を備えるトナー像形成装置及びトナー像形成装置を備える画像形成装置に関する。
【背景技術】
【０００２】
電子写真装置の帯電装置として、被帯電物と放電電極が接触又は近接配置された中抵抗ローラ帯電方式の帯電装置の他、被帯電物と放電電極が非接触配置されたコロナ帯電方式の帯電装置がある。このコロナ帯電装置は、帯電均一性のマージンを得るために大電流／大電圧を必要とする。また、電子写真装置における被帯電物にはマイナス帯電の感光体がよく用いられるが、マイナスのコロナ放電は放電ムラが大きいことが知られている。このため、放電箇所を適切に配置させる必要があり、放電電極として鋸歯電極が広く用いている。しかし、鋸歯電極は先端部の形状が経時的に劣化により放電電流ムラが生じるという問題がある。
【０００３】
この放電ムラに対処して、グリッド電極配置することにより放電電流の均一化が図られている。しかし、放電電流の多くはグリッド電極で回収されてしまうため、大電流が必要となる。このように放電電流が大きくなるとオゾンが大量に発生し、環境衛生上の問題となる。そのため、オゾンフィルタや触媒などオゾンを処理する補助装置が必要となり、また、オゾンにより電極に汚れが発生し更に大電流／大電圧が必要となってしまうこととなる。
【０００４】
一方、中抵抗ローラ帯電方式はコロナ帯電方式と比べてオゾンの発生が極めて少ないものの近接帯電であるため感光体への保護層が必要となる。また、感光体の保護剤やトナー等が帯電ローラに付着して異常画像が発生するため、帯電ローラのクリーニング機構が必要となるといった問題がある。
【０００５】
特許文献１には、感光体の長手方向に複数箇の独立した針状あるいはくさび状の放電電極を列設し、その各放電電極をそれぞれ抵抗素子を介して共通の電源に接続して、該各放電電極から前記感光体にそれぞれ所望の電流が放電されるようにしたものが記載されている。
【０００６】
特許文献２には、帯電器と被帯電体との間に電圧を印加し、コロナ放電により該被帯電体を帯電する帯電器であって、突起を複数配設する櫛歯状帯電器又は列状に突起を有する鋸歯状帯電器であり、該突起の先端部分にカーボンナノチューブで構成される導電性繊維を有することを特徴とする帯電器、
及び該帯電器を有するものが記載されている。
【０００７】
特許文献３には、先端部分に金属又は合金、あるいは金属を含む窒化物、炭化物、ケイ化物又はホウ化物の少なくとも１種で被覆されたカーボンナノチューブを構成要素として有する帯電装置が記載されている。
【特許文献１】特第３３６７５２４号公報
【特許文献２】特開２００６−８４９５１公報
【特許文献３】特開２００１−２５０４６７公報
【発明の開示】
【発明が解決しようとする課題】
【０００８】
しかしながら特許文献１に記載のものは、各放電電極にそれぞれ抵抗素子を介して共通電源に接続するものであるので部品数が増加し、また、均一放電のために数百ＭΩという大きな抵抗値が必要で、装置の大型化を招くという問題がある。
【０００９】
また、特許文献２に記載のものは、突起の先端に設けられる繊維は例えば静電植毛により形成されるものであり、カーボンナノチューブを、突起先端部に毛先を揃えてを配置することは困難であり、また、カーボンナノチューブが大気中で使用することで劣化してしま他、長時間放電により鋸歯先端が鋭利でなくなり放電電流ムラが生じてしまうという問題がある。
【００１０】
特許文献３に記載のものは、カーボンナノチューブの先端被覆には手間がかかるので実用性が低いという問題がある。
【００１１】
そこで、本発明は、電極先端の初期形状のばらつき・経時変化等に起因する放電電流ムラが起きても、各放電点での電荷保持部材の帯電電荷が形成する電界により放電電流が制限され、低電流で利用しても帯電ムラが少なく、また、電荷保持部材の電位減衰時定数を短くでき、駆動電圧の上昇を抑えることができる帯電装置を提供することを目的とする。
【課題を解決するための手段】
【００１２】
請求項１の発明は、コロナ放電電極と、被帯電物側に開口面を有し、前記コロナ放電電極を覆うように設けたシールド部材と、前記開口面に配置され、前記コロナ放電電極の放電点からの放電電流を制御するグリッド部材とからなる帯電装置において、前記コロナ放電電極の近傍に前記放電電流の一部で帯電電位を形成すると共に、前記帯電電位の減衰時定数が所定数以下の電荷保持部材を配置したことを特徴とする帯電装置である。
【００１３】
請求項２の発明は、請求項１記載の帯電装置において、前記電荷保持部材は前記電極から被帯電物へと流れる放電電流の一部を遮るよう配置されていることを特徴とする。
【００１４】
請求項３の発明は、請求項１記載の帯電装置において、前記電荷保持部材は導体と抵抗層とから形成されていることを特徴とする。
【００１５】
請求項４の発明は、請求項３記載の帯電装置において、前記抵抗層は前記導体の全面を覆うよう形成されていることを特徴とする。
【００１６】
請求項５の発明は、請求項３記載の帯電装置において、前記電荷保持部材の導体側面を絶縁体で覆うよう形成したことを特徴とする。
【００１７】
請求項６の発明は、請求項３記載の帯電装置において、前記電荷保持部材をグリッド形状としたことを特徴とする。
【００１８】
請求項７の発明は、請求項１乃至６のいずれか記載の帯電装置を備えることを特徴とするトナー像形成装置である。
【００１９】
請求項８の発明は、請求項７記載のトナー像形成装置を備えることを特徴とする画像形成装置である。
【発明の効果】
【００２０】
本発明に係る帯電装置、トナー像形成装置及び画像形成装置によれば、電極先端の初期形状のばらつき・経時変化等に起因する放電電流ムラが発生しても、各放電点での電荷保持部材の帯電電荷が形成する電界により放電電流が制限され、低電流で利用しても帯電ムラの少ない帯電装置を提供することができる他、電荷保持部材の電位減衰時定数を短くして駆動電圧の上昇を抑えることができる。
【発明を実施するための最良の形態】
【００２１】
以下本発明を実施するための最良の形態としての実施例を図面に基づいて説明する。
【実施例】
【００２２】
以下実施例に係る画像形成装置について説明する。本例に係る画像形成装置は実施例に係る帯電装置を備えた電子写真式のものである。図１は実施例に係る画像形成装置の概略構成を示す断面図である。画像形成装置１００は、感光体ドラム１１０、帯電装置２００、露光装置１３０、現像装置１４０、転写装置１５０、定着装置１６０、除電器１７０、クリーナ１８０を備えて構成される。
【００２３】
このような画像形成装置１００では、まず暗所において帯電装置２００で感光体ドラム１１０の表面を均一に帯電させ、露光装置１３０で画像部以外の所に光Ｌを照射して感光体ドラム１１０表面の電荷を除去し、静電潜像を形成する。現像装置１４０は、前記静電潜像と逆極性に帯電したトナーＴを感光体に吸着させる。次いで記録紙Ｐをトナー像に重ね、転写装置１５０で記録紙Ｐの裏側からトナーと逆極性の電荷を付与し、静電力によりトナーを記録紙Ｐに転写する。転写されたトナー像は、定着装置１６０で熱や圧力を加えて記録紙Ｐに定着される。
【００２４】
一方、転写後の感光体ドラム１１０に残った静電潜像は除電器１７０で除去され、感光体ドラム１１０に残留したトナーはクリーナ１８０で除去される。この帯電処理からクリーニング処理に至る一連のプロセスを繰り返すことで連続印字を行う。なお、上記例では、モノクロの画像形成装置について説明したが、カラーの画像形成装置では同様の処理を各色について行い作成した各色のトナー像を記録紙Ｐに重ねて転写するものであるので詳細な説明は省略する。
【００２５】
次に実施例に係る帯電装置について説明する。図２は帯電装置を示す分解斜視図、図３は実施例に係る帯電装置を示す斜視図、図４は実施例に係る帯電装置を示すものであり、（ａ）は横断面模式図、（ｂ）は縦断面模式図、（ｃ）は電荷保持部材の断面図である。本例に係る帯電装置２００は、コロナ放電電極２１０と、シールド部材としてのケース２２０と、グリッド部材としてのグリッド電極２３０と、電荷保持部材２４０を備える。
【００２６】
コロナ放電電極２１０は、ケース２２０の後述するエンドブロック２２１にネジなどで固定されるものであり、図３に示すように板状部材２１１の前縁部に複数の尖部２１２を等間隔に形成した金属製の鋸歯状部材である。
【００２７】
ケース２２０は、前記コロナ放電電極２１０が取り付けられる一対のエンドブロック２２１と、両エンドブロック２２１を挟む２枚のシールド電極２２２とからなる。また、前記エンドブロック２２１は絶縁部材で形成されている。
【００２８】
グリッド電極２３０はアルミニウムあるいはステンレス鋼で形成され、ケース２２０の前面に取り付けられており、例えばステンレススチール、銅、鉄などの薄い板材をエッチングすることにより形成され、斜めや格子状のスリットを形成した開口部２０８が形成されている。
【００２９】
電荷保持部材２４０は、ケース２２０と、グリッド電極２３０との間に配置され、図４（ｃ）に示すように、電荷保持部材はアルミニウム製の導体部２４１に誘電体や抵抗からなる抵抗層２４２を形成したものであり、導体部２４１が接地されている。この電荷保持部材２４０は減衰時定数が後述する所定数以下のものである。
【００３０】
図４（ａ）に示すように、コロナ放電電極２１０とグリッド電極２３０とは、それぞれ図示しない高圧電源が接続されており、所定のバイアス電圧が印加される。なお、シールド電極２２２に印加される電圧も高圧電源により制御することができる。
【００３１】
このような帯電装置２００において、コロナ放電電極２１０と、グリッド電極２３０又はケース２２０にはバイアス電圧が印加されている。放電電極２０１に印加されるバイアス電圧は、グリッド電極２０６又はケース２０４に印加されるバイアス電圧より絶対値が大きく、かつ感光体ドラム１１０が帯電される電位と同極性のものである。本例では感光体ドラム１１０の帯電電圧は負帯電である。放電電極２０１の先端と感光体ドラム１との間で放電が発生し、発生するイオン又は電子により感光体ドラム１が帯電する。
【００３２】
上記例ではコロナ放電電極２１０として鋸歯状の部材として説明したが、これは他の構成とすることができる。図５は他の例に係るコロナ放電電極を示す斜視図である。このコロナ放電電極３００は、保持板３２０に多数のピン部材３１０等間隔に配置したものである。
【００３３】
次にこのような構成の帯電装置について行った実験について説明する。まず、電荷保持部材２４０の効果を検証するため、帯電装置として電荷保持部材２４０を備えず、コロナ放電電極２１０、ケース２２０、グリッド電極２３０だけの構成を備えるものとした。図６は実験の等価回路を示す回路図である。
【００３４】
コロナ放電電極の（尖部２１２のピッチ４ｍｍ）をケース２２０の開口幅１２ｍｍの中央に配置し、グリッドと感光体距離１．５ｍｍ、グリッドと電極先端の距離を５ｍｍとなるよう配置し（以下実験レイアウトという）、総電流−３００μＡ、グリッド電圧−８００Ｖとしてコロナ放電を行うと、感光体表面を−７００Ｖに帯電した。総電流とグリッド及びケースの回収電流との差より、感光体の帯電に使われた電流を求めたところ−５０μＡであった。帯電した区間は長さ３００ｍｍ程度であるので、鋸歯電極１本あたりの電流−１μＡで感光体は十分に帯電できる。
【００３５】
ところで、このような鋸歯状のコロナ放電電極２１０は尖部２１２の形状が経時的に劣化して放電電流にムラが生じることがある。図６に示した等価回路において各放電点での放電電流は式１、２を満たす。
【００３６】
【数１】
2010061083.tif 000003
【００３７】
すなわち空隙抵抗Ｒｇｉが小さく、電位差（Ｅ−Ｖｔｈｉ）が大きいほど放電電流が大きくなる。図７は鋸歯電極を用いた前記実験レイアウトでの放電開始電圧の一例を示すグラフである。０．５μＡ以上の線形近似式のｘ切片を放電開始電圧Ｖｔｈ、傾きの逆数をグリッドと電極先端の間の空隙抵抗Ｒｇと定義すると、式１でよく近似できることがわかる。Ｒｇｉ、Ｖｔｈｉがばらつくことにより、低電圧Ｅで駆動した場合に放電電流のばらつきが生じる。
【００３８】
ここで、放電電極先端の近傍に電荷保持部材２４０を設け本実施例に係る帯電装置の構成とすることにより、電荷保持部材２４０が形成する電界によりコロナ放電電極２１０の各放電点からの電流ばらつきを均一にすることができる。ここで、Δｔ秒後の電荷保持部材の帯電電荷は式３、４から求まる。放電電流の一部が電荷保持部材の帯電に使われたとして式５が成り立ち、Δｔ秒後の各放電点での放電電流は式６で表すことができる。式６より、Ｒｇｉの大きい（すなわち放電電流の大きい）放電点ほど、電流の制限量が大きくなる。すなわち電荷保持部材の帯電電荷により、放電ムラを低減する電界が生じる。
【００３９】
【数２】
2010061083.tif 000004
【００４０】
ここで、電界の減衰時定数ＲＣが１０ｍｓ程度であれば駆動電圧Ｅの上昇を抑えつつ、放電ムラを低減できると考えられる。以下、図６に示した例で減衰時定数ＲＣを１０ｍｓとするための最適値を示す。なお、これらの最適値に関しては、実験により決定する必要がある。Ｒｇｉ、Ｖｔｈｉのばらつきを±１０％としてΔＶｔｈｉを５００Ｖで放電ムラ低減の効果があるとする。Δｔ秒後のΔＶｔｈｉは下記式７を満たすので、１／１０に減衰した場合の時定数ＲＣは約１０＾−２ｓとなる。電荷保持部材の誘電率ε＝２．８（エボナイト）、真空の誘電率ε０＝８．８５４＊１０＾−１２として、時定数１０ｍｓを満たすＲＣの組み合わせの計算例を表１に示す。
【００４１】
【数３】
2010061083.tif 000005
【００４２】
【表１】
2010061083.tif 000006
【００４３】
図８は実施例に係る帯電装置による電流値を示すものであり、（ａ）は実施例の模式図、（ｂ）は電流値を示すグラフである。ここではコロナ放電電極２１０には３本の尖部２１２が配置されている場合について説明する。また、放電点と検出電極の間の空隙抵抗の関係は、Ｒｇ１＜Ｒｇ２＜Ｒｇ３であるとする。グラフは、時刻ｔにおける測定箇所での電流値の変化を表している。図中実線は時刻ｔでの電流値、破線は時刻ｔ−Δｔでの電流値を表している。上述（式６）したように、Ｒｇｉの大きい（すなわち放電電流の大きい）放電点ほど、電流の制限量が大きくなるので、時刻ｔ＝ｔ＋Δｔでは実線のように電流が制限される。
【００４４】
一方、定電流電源にて駆動した場合、時刻ｔ＝ｔ＋２Δｔではｔ＝０と同じ大きさの電流が流れる。（３本の電流値の合計が定電流となるため）この時、電荷保持部材の残留電荷の大きさで放電電流の大きさが決まり、図示した電流配分となる。図中最下に、ある時間の平均電流を表す。図９は対比例に係る帯電装置による電流値を示すものであり、電流値を示すものであり、（ａ）は実施例の模式図、（ｂ）は電流値を示すグラフである。対比例に係る帯電装置は、電荷保持部材２４０を備えず、コロナ放電電極２１０とグリッド電極２３０とを備えるものである。図９（ｂ）に示すように対比例に係る帯電装置では放電ムラがあるのに対し、図８（ｂ）に示す本実施例の帯電装置では均一な放電となっていることがわかる。
【００４５】
なお、上記説明では簡単にするため３本の尖部を備えるコロナ放電電極２１０で説明したが、複数本の電極やワイヤにおける放電点としても同様の効果が期待できる。なお、副作用として駆動電圧の上昇が懸念されるが、５００Ｖの帯電電位を生じるために必要な放電電流は４０μＡ程度なので、問題はない。
【００４６】
このように電荷保持部材は、コロナ放電電極から被帯電物への放電電流を遮るように配置すると効果が高い。なお、電荷保持部材はアルミニウムなどの導体に誘電体や抵抗層を形成して構成し導体を接地すると、電位減衰定数を短くすることができる。電荷保持部材の形状は上述した形状の他、薄板状又はワイヤ状、グリッド状とすることができる。
【００４７】
図１０は第２の実施例に係る帯電装置を示すものであり、（ａ）は横断面図、（ｂ）は（ａ）中のＡ−Ａ線に相当する端面模式図である。本例に係る荷電装置４００は、電荷保持部材４１０をグリッド状としたものである。荷電装置４００は、グリッド電極２３０とコロナ放電電極２１０の間に、前記電荷保持部材４１０を配置している。コロナ放電電極４１０は、そのグリッド面をコロナ放電電極２１０と略平行にして配置している。本例によれば、放電電流の利用効率が高くなる他、電荷保持部材４１０の幅を広くすることができるので、組み付け精度を緩くすることができる。
【００４８】
次に他の実施例に係る帯電装置について説明する。図１０（ａ）、（ｂ）、（ｃ）は他の実施例に係る帯電装置を示す断面模式図である。これらの帯電装置５００、６００、７００はコロナ放電電極をワイヤ状としたものである。このようにコロナ放電電極をワイヤ状にするとコロナ放電電流はコロナ放電電極から全ての方向に向かうので、被帯電物である感光体ドラムへの放電電流を遮るように配置しなくても効果があると考えられる。（ａ）に示す帯電装置５００は、コロナ放電電極５１０の裏側に導体５２１と誘電体や抵抗体からなる抵抗層５２２とからなる板状の電荷保持部材５２０を配置したものである。また、（ｂ）に示す帯電装置６００ものは、コロナ放電電極５１０からグリッド電極２３０に向け拡開する網状の電荷保持部材６２０を構成したものである。更に（ｃ）に示す帯電装置７００、コロナ放電電極５１０の上方を覆うように断面円弧状の導体７２１と誘電体や抵抗体からなる抵抗層７２２とから構成される電荷保持部材７２０を配置したものである。
【００４９】
以上説明したように、本発明によれば、コロナ放電電流の一部により帯電電位を形成し、電位の減衰時定数が短い電荷保持部材を放電電極の近傍に配置したので、電極先端の初期形状のばらつき、経時変化等に起因する放電電流ムラが発生しても、各放電点での電荷保持部材の帯電電荷が形成する電界により放電電流が制限され、低電流で利用しても帯電ムラの少ない帯電装置を提供することができる。また、電荷保持部材の電位減衰時定数を短くすることで、駆動電圧の上昇を抑えることができる。
【００５０】
また、本発明によれば、電荷保持部材を、前記電極から被帯電物へと流れる放電電流の一部を遮るよう配置したので、鋸歯電極のように、放電電流の指向性が高い電極を用いても帯電ムラを少ないものとすることができる。
【００５１】
また、本発明によれば、帯電装置において、前記電荷保持部材は導体と抵抗層とからから構成し、また、抵抗層を前記導体の全面を覆うよう形成したので、導体に流れる電流を減らすことができ放電効率を上げることができる。
【００５２】
また、本発明によれば、電荷保持部材の導体側面を絶縁体で覆うようにしたので、シールド部材やグリッド部材へのリーク電流を防止することができる。
【００５３】
また、本発明によれば、電荷保持部材をグリッド形状としたので、被帯電物への放電電流の透過率を上げることができ、エネルギの利用効率を上げることができる他、グリッド面を幅広くすることで、電極の幅方向に対する組み付け精度を緩くすることができる。
【００５４】
そして、本発明によれば、帯電装置を低電流で使用しても放電ムラを少なくオゾン発生量の少ない安定した画像形成装置を提供することができる。
【図面の簡単な説明】
【００５５】
【図１】実施例に係る画像形成装置の概略構成を示す断面図である。
【図２】実施例に係る帯電装置を示す分解斜視図である。
【図３】実施例に係る帯電装置を示す斜視図である、
【図４】実施例に係る帯電装置を示すものであり、（ａ）は横断面模式図、（ｂ）は縦断面模式図、（ｃ）は電荷保持部材の断面図である。
【図５】他の例に係るコロナ放電電極を示す斜視図である。
【図６】実験の等価回路を示す回路図である。
【図７】実験での放電開始電圧の一例を示すグラフである。
【図８】実施例に係る帯電装置による電流値を示すグラフである。
【図９】対比例に係る帯電装置による電流値を示すものである。
【図１０】第２の実施例に係る帯電装置を示すものであり、（ａ）は横断面模式図、（ｂ）は（ａ）中のＡ−Ａ線に相当する端面図ある。
【図１１】他の実施例に係る帯電装置の変形例を示すものであり、（ａ）、（ｂ）、（ｃ）は断面模式図である。
【符号の説明】
【００５６】
１００  画像形成装置
１１０  感光体ドラム
１３０  露光装置
１４０  現像装置
１５０  転写装置
１６０  定着装置
１７０  除電器
１８０  クリーナ
２００  帯電装置
２０１  放電電極
２０４  ケース
２０６  グリッド電極
２０８  開口部
２１０  コロナ放電電極
２１１  板状部材
２１２  尖部
２２０  ケース
２２１  エンドブロック
２２２  シールド電極
２３０  グリッド電極
２４０  電荷保持部材
２４１  導体部
２４２  抵抗層
３００  コロナ放電電極
３１０  ピン部材
３２０  保持板
４００  荷電装置
４１０  電荷保持部材
５００  帯電装置
５１０  コロナ放電電極
５２０  電荷保持部材
５２１  導体
５２２  抵抗層
６００  帯電装置
６２０  電荷保持部材
７００  帯電装置
７２０  電荷保持部材
７２１  導体
７２２  抵抗層
【図１】
2010061083.tif 000007
【図２】
2010061083.tif 000008
【図３】
2010061083.tif 000009
【図４】
2010061083.tif 000010
【図５】
2010061083.tif 000011
【図６】
2010061083.tif 000012
【図７】
2010061083.tif 000013
【図８】
2010061083.tif 000014
【図９】
2010061083.tif 000015
【図１０】
2010061083.tif 000016
【図１１】
2010061083.tif 000017